(57)【特許請求の範囲】
【請求項１】
本体ケース（２）を含むグリップ構造（１）とかみそりヘッド（３）との間に、かみそりヘッド（３）を上下動および左右傾動可能に支持する浮動支持構造が設けられており、
浮動支持構造が、かみそりヘッド（３）を上向きに移動付勢するフロートばね（２０）と、かみそりヘッド（３）に同行して傾動するヘッド突起（２２）と、グリップ構造（１）の側に設けられてヘッド突起（２２）の上下動領域および左右傾動領域を規定する囲い構造（２３）と、ヘッド突起（２２）を任意の左右傾動位置から中立位置へ復帰操作する弾性体（２４）を含んで構成してあることを特徴する電気かみそり。
【請求項２】
かみそりヘッド（３）の前後面の少なくともいずれか一方に、複数個のヘッド突起（２２）が設けられており、
ヘッド突起（２２）の上下動および左右傾動を許す浮動開口（２５）が前記囲い構造（２３）で区画されており、
各ヘッド突起（２２）に対応して設けた弾性体（２４）がグリップ構造（１）の側に設けられて、ヘッド突起（２２）の周面に接当している請求項１記載の電気かみそり。
【請求項３】
浮動開口（２５）に、上下動するヘッド突起（２２）を移動案内する上下方向のガイド壁（２６）と、ヘッド突起（２２）をフロートばね（２０）の押し上げ力に抗して受け止める上規制壁（２７）とが設けられており、
中立位置におけるヘッド突起（２２）が、ガイド壁（２６）および弾性体（２４）で挟み保持され、同時に上規制壁（２７）で受け止められて自由傾動不能に位置保持されており、
弾性体（２４）の少なくとも一側にヘッド突起（２２）の左右傾動を許す空間（Ｓ）が確保してある請求項２記載の電気かみそり。
【請求項４】
グリップ構造（１）の側に、前壁（２１ａ）および後壁（２１ｂ）を備えた復帰フレーム（２１）が設けられており、
前記前後壁（２１ａ・２１ｂ）の少なくとも一方に囲い構造（２３）が設けられており、
弾性体を構成する弾性アーム（２４）が片持ち梁状に構成されて、その遊端が下向きになる状態で復帰フレーム（２１）に組み付けられており、
かみそりヘッド（３）が中立位置から下方移動するのに伴って、左右傾動したヘッド突起（２２）を中立位置へ復帰操作するときの弾性アーム（２４）の弾性力が漸減するように構成してある請求項２または３記載の電気かみそり。
【請求項５】
グリップ構造（１）の側に、前壁（２１ａ）および後壁（２１ｂ）を備えた復帰フレーム（２１）が設けられており、
前記前後壁（２１ａ・２１ｂ）の少なくとも一方に囲い構造（２３）と、弾性体を構成する弾性アーム（２４）とが設けられており、
浮動支持構造が、かみそりヘッド（３）と復帰フレーム（２１）とのいずれか一方に設けられる揺動軸（５１）と、残る他方に設けられて揺動軸（５１）を上下動可能に移行案内するガイド溝（５２）を含んで構成されている請求項１から４のいずれかに記載の電気かみそり。
【請求項６】
ヘッド突起を構成する左右一対のヘッドピン（２２）が、揺動軸（５１）およびガイド溝（５２）の中心を通る仮想中心軸を対称軸にして左右対称に配置されており、
かみそりヘッド（３）が中立位置にあるとき、左右のヘッドピン（２２）が浮動開口（２５）の上規制壁（２７）の中途部で受け止め保持されている請求項５記載の電気かみそり。
【請求項７】
上規制壁（２７）に、中立位置にあるヘッドピン（２２）を受け入れてかみそりヘッド（３）を自由傾動不能に保持するホーム凹部（５９）が形成してある請求項５または６記載の電気かみそり。
【請求項８】
かみそりヘッド（３）の上下動に同行して上下変位できるよう、弾性アーム（２４）が復帰フレーム（２１）で上下動自在に支持してある請求項５から７のいずれかに記載の電気かみそり。
【請求項９】
グリップ構造（１）とかみそりヘッド（３）との前後の対向壁の少なくともいずれか一方に、かみそりヘッド（３）の前後方向のがた付きを規制するがた付き防止構造が設けてある請求項１から８のいずれかに記載の電気かみそり。
【請求項１０】
がた付き防止構造が、押圧体（３４）と、押圧体（３４）を押し付け付勢する弾性変形可能な押圧腕（３３）とで構成されており、
押圧腕（３３）および押圧体（３４）が、グリップ構造（１）とかみそりヘッド（３）との前後の対向壁の少なくともいずれか一方に設けてある請求項９記載の電気かみそり。
【請求項１１】
かみそりヘッド（３）がフロートばね（２０）に抗して押し下げ操作される状態において、ヘッド突起（２２）を捕捉する突起保持体（６５）が浮動開口（２５）の底壁に設けられており、
ヘッド突起（２２）を突起保持体（６５）で捕捉保持することにより、かみそりヘッド（３）を一時的に左右傾動不能に保持できる請求項２から１０のいずれかに記載の電気かみそり。
【請求項１２】
本体ケース（２）を含むグリップ構造（１）とかみそりヘッド（３）との間に、かみそりヘッド（３）を上下動および左右傾動可能に浮動支持する浮動支持構造が設けられており、
浮動支持構造は、かみそりヘッド（３）を上向きに移動付勢するフロートばね（２０）と、左右傾動したかみそりヘッド（３）を中立位置へ復帰操作する傾動復帰体（４１）とで構成されており、
傾動復帰体（４１）は、かみそりヘッド（３）に同行して傾動する浮動フレーム（４２）と、浮動フレーム（４２）の左右両側に設けられて、かみそりヘッド（３）を任意の左右傾動位置から中立位置へ復帰操作する左右一対のばね腕（４３）とを含み、
かみそりヘッド（３）に設けた左右一対のヘッドピン（２２）が、浮動フレーム（４２）に設けた上下ガイド溝（４５）で上下動のみ可能に案内されており、
ばね腕（４３）の両側端を本体ケース（２）に固定して、かみそりヘッド（３）がフロートばね（２０）と傾動復帰体（４１）とで浮動支持してある電気かみそり。
【発明の詳細な説明】
【技術分野】
【０００１】
本発明は、かみそりヘッドを傾動および上下動可能に支持する浮動支持構造を備えている電気かみそりに関する。
【背景技術】
【０００２】
この種の電気かみそりにおいて、例えば左右いずれかへ傾動したかみそりヘッドを使用頻度が最も高い中立位置へ速やかに復帰させて、安定した状態でひげ切断を行えるようにする浮動支持構造が公知である（特許文献１参照）。そこでは、モーターホルダーを押し上げ付勢するフロートばねと、傾動したかみそりヘッドを中立位置へ復帰操作するための傾動復帰構造とで浮動支持構造を構成している。フロートばねは圧縮コイルばねからなり、本体ケースに収容される内フレームとモーターホルダーとの間に配置してある。
【０００３】
傾動復帰構造は、内フレームの側に突設される左右一対の弾性ピンと、弾性ピンで上下動可能にガイドされるフロート穴とで構成してある。フロート穴は、モーターホルダーに上下貫通状に形成してある。弾性ピンはフロート穴と常時係合しており、かみそりヘッドが左右、あるいは前後に傾動するのに伴って、弾性ピンが同じ向きへ弾性変形する。したがって、かみそりヘッドに作用する外力が開放されると、弾性ピンの変形応力によってかみそりヘッドを中立位置へ速やかに復帰操作できる。
【０００４】
本発明に関して、ヘッドユニットの全体をフロートばねで押し上げ付勢し、ヘッドユニットの前後面に設けた左右一対の傾動軸を中心にして、ヘッドユニットを左または右へ傾動可能に浮動支持することは特許文献２に公知である。
【０００５】
【特許文献１】特開２００５−１０３１４５号公報（段落番号００４６、図１０）
【特許文献２】特開２００６−３３３９９９号公報（段落番号００２１、図１）
【発明の開示】
【発明が解決しようとする課題】
【０００６】
特許文献１の電気かみそりによれば、かみそりヘッドに作用する外力が開放されるのと同時に、弾性ピンの弾性力によってかみそりヘッドを中立位置へ速やかに復帰させることができる。従来の浮動支持構造に比べて全体構造を簡素化できる利点もある。しかし、かみそりヘッドが傾動するとき、弾性ピンとフロート穴とがこじれて、かみそりヘッドを円滑に傾動できないことがある。例えば、かみそりヘッドを特定の方向へ急傾動させるような場合に、かみそりヘッドが肌面の変化に追随して傾動できないことがある。これは、かみそりヘッドが傾動するとき、弾性ピンの一部とフロート穴の上下の開口縁に同時にかみこみ、相対移動できなくなるのが原因であると思われる。
【０００７】
本発明の目的は、より簡単な構造でかみそりヘッドを浮動支持しながら、かみそりヘッドを中立位置へ速やかに復帰させて、常に安定した状態でひげを剃ることができる電気かみそりを提供することにある。本発明の目的は、肌面の急な変化に対応してかみそりヘッドを円滑に急傾動でき、したがってかみそりヘッドを常に肌面にフィットさせて効果的にひげを剃ることができる電気かみそりを提供することにある。
【課題を解決するための手段】
【０００８】
本発明の電気かみそりでは、本体ケース２を含むグリップ構造１とかみそりヘッド３との間に、かみそりヘッド３を上下動および左右傾動可能に支持する浮動支持構造を設ける。浮動支持構造は、かみそりヘッド３を上向きに移動付勢するフロートばね２０と、かみそりヘッド３に同行して傾動するヘッド突起２２と、グリップ構造１の側に設けられてヘッド突起２２の上下動領域および左右傾動領域を規定する囲い構造２３と、ヘッド突起２２を任意の左右傾動位置から中立位置へ復帰操作する弾性体２４を含んで構成する。
【０００９】
かみそりヘッド３の前後面の少なくともいずれか一方に、複数個のヘッド突起２２を設ける。ヘッド突起２２の上下動および左右傾動を許す浮動開口２５が前記囲い構造２３で区画してある。各ヘッド突起２２に対応して設けた弾性体２４がグリップ構造１の側に設けられて、ヘッド突起２２の周面に接当している。
【００１０】
浮動開口２５に、上下動するヘッド突起２２を移動案内する上下方向のガイド壁２６と、ヘッド突起２２をフロートばね２０の押し上げ力に抗して受け止める上規制壁２７とを設ける。中立位置におけるヘッド突起２２は、ガイド壁２６および弾性体２４で挟み保持され、同時に上規制壁２７で受け止められて自由傾動不能に位置保持されている。弾性体２４の少なくとも一側にヘッド突起２２の左右傾動を許す空間Ｓを確保する。
【００１１】
グリップ構造１の側に、前壁２１ａおよび後壁２１ｂを備えた復帰フレーム２１を設け、これら前後壁２１ａ・２１ｂの少なくとも一方に囲い構造２３を設ける。弾性体を構成する弾性アーム２４を片持ち梁状に構成して、その遊端が下向きになる状態で復帰フレーム２１に組み付ける（図１１参照）。以て、かみそりヘッド３が中立位置から下方移動するのに伴って、左右傾動したヘッド突起２２を中立位置へ復帰操作するときの弾性アーム２４の弾性力が漸減するように構成する。
【００１２】
グリップ構造１の側に、前壁２１ａおよび後壁２１ｂを備えた復帰フレーム２１を設け、これら前後壁２１ａ・２１ｂの少なくとも一方に囲い構造２３と、弾性体を構成する弾性アーム２４とを設ける。浮動支持構造は、かみそりヘッド３と復帰フレーム２１とのいずれか一方に設けられる揺動軸５１と、残る他方に設けられて揺動軸５１を上下動可能に移行案内するガイド溝５２を含んで構成する（図１５参照）。
【００１３】
ヘッド突起を構成する左右一対のヘッドピン２２は、揺動軸５１およびガイド溝５２の中心を通る仮想中心軸を対称軸にして左右対称に配置する。かみそりヘッド３が中立位置にあるとき、左右のヘッドピン２２が浮動開口２５の上規制壁２７の中途部で受け止め保持されるようにする（図１５参照）。
【００１４】
上規制壁２７に、中立位置にあるヘッドピン２２を受け入れてかみそりヘッド３を自由傾動不能に保持するホーム凹部５９を形成する（図１９参照）。
【００１５】
かみそりヘッド３の上下動に同行して上下変位できるよう、弾性アーム２４を復帰フレーム２１で上下動自在に支持する（図１９参照）。
【００１６】
グリップ構造１とかみそりヘッド３との前後の対向壁の少なくともいずれか一方に、かみそりヘッド３の前後方向のがた付きを規制するがた付き防止構造を設ける（図３参照）。
【００１７】
がた付き防止構造は、押圧体３４と、押圧体３４を押し付け付勢する弾性変形可能な押圧腕３３とで構成する。押圧腕３３および押圧体３４は、グリップ構造１とかみそりヘッド３との前後の対向壁の少なくともいずれか一方に設ける。
【００１８】
かみそりヘッド３がフロートばね２０に抗して押し下げ操作される状態において、ヘッド突起２２を捕捉する突起保持体６５を浮動開口２５の底壁に設ける（図２６参照）。以て、ヘッドピン２２を突起保持体６５で捕捉保持することにより、かみそりヘッド３を一時的に左右傾動不能に保持する。
【００１９】
本発明の電気かみそりでは、本体ケース２を含むグリップ構造１とかみそりヘッド３との間に、かみそりヘッド３を上下動および左右傾動可能に浮動支持する浮動支持構造を設ける。図１３および図１４に示すように、浮動支持構造は、かみそりヘッド３を上向きに移動付勢するフロートばね２０と、左右傾動したかみそりヘッド３を中立位置へ復帰操作する傾動復帰体４１とで構成する。傾動復帰体４１は、かみそりヘッド３に同行して傾動する浮動フレーム４２と、浮動フレーム４２の左右両側に設けられて、かみそりヘッド３を任意の左右傾動位置から中立位置へ復帰操作する左右一対のばね腕４３とを含む。かみそりヘッド３に設けた左右一対のヘッドピン２２は、浮動フレーム４２に設けた上下ガイド溝４５で上下動のみ可能に案内されている。ばね腕４３の両側端を本体ケース２に固定して、かみそりヘッド３をフロートばね２０と傾動復帰体４１とで浮動支持する。
【発明の効果】
【００２０】
本発明においては、かみそりヘッド３を上下動および左右傾動可能に支持するための浮動支持構造を、本体ケース２を含むグリップ構造１とかみそりヘッド３との間に設けた。浮動支持構造は、かみそりヘッド３を上向きに移動付勢するフロートばね２０と、かみそりヘッド３に同行傾動するヘッド突起２２と、グリップ構造１の側に設けられてヘッド突起２２の上下動領域および左右傾動領域を規定する囲い構造２３と、ヘッド突起２２を任意の左右傾動位置から中立位置へ復帰操作する弾性体２４などで構成した。
【００２１】
上記の浮動支持構造によれば、下方へ沈み込み移動したかみそりヘッド３を主としてフロートばね２０で上向きに操作して中立位置へ復帰させることができる。また、かみそりヘッド３が左右傾動する状態においては、弾性体２４およびフロートばね２０がそれぞれ弾性変形されるので、これら両者２０・２４が発揮する弾性力の協同作用によって、かみそりヘッド３を中立位置へ速やかに復帰させることができる。囲い構造２３は、ヘッド突起２２の上下動領域および左右傾動領域を規定して、かみそりヘッド３を常に適正な領域内で浮動変位させる。
【００２２】
したがって、本発明の浮動支持構造によればヘッド突起２２と囲い構造２３、およびフロートばね２０と弾性体２４などのより簡単な構造でかみそりヘッド３を浮動支持できるにもかかわらず、上下動あるいは左右傾動したかみそりヘッド３を中立位置へ速やかに復帰させて、常に安定した状態でひげを剃ることができる。また、ヘッド突起２２と弾性体２４とは単に外接する関係でしかないため、かみそりヘッド３が急傾動するような場合でも、弾性体２４が弾性変形することで傾動動作を吸収して、ヘッド突起２２を円滑に傾動変位させることができる。つまり、従来の浮動支持構造においては、かみそりヘッドが急傾動するような場合に弾性ピンとフロート穴とがこじれるなどの動作不良を生じる余地があったが、本発明の浮動支持構造によれば、先のような動作不良を一掃して、肌面の急な変化に対応してかみそりヘッド３を円滑に急傾動でき、したがってかみそりヘッド３を常に肌面にフィットさせて効果的にひげを剃ることができる。
【００２３】
かみそりヘッド３の側に複数個のヘッド突起２２を設け、これらのヘッド突起２２の左右傾動領域を囲い構造２３で区画される浮動開口２５で規定し、グリップ構造１の側に設けた弾性体２４をヘッド突起２２の周面に接当させる浮動支持構造によれば、左右側端に位置するヘッド突起２２を傾動中心にして、かみそりヘッド３を左右傾動させることができる。このことは、かみそりヘッド３が傾動モーメントを受けるときのモーメントアームが大きくなることを意味しており、したがってかみそりヘッド３をより小さな力で傾動変位させて、肌面の変化に遅滞なく追随させることができる。また、モーメントアームが大きい分だけ、弾性体２４の弾性力による復帰モーメントを大きくして、傾動したかみそりヘッド３を速やかに、しかも確実に中立位置へ復帰させることができる。複数個のヘッド突起２２を弾性体２４で復帰付勢するので、中立位置においてかみそりヘッド３が自由傾動し、あるいはぐらぐらするのをよく防止して、安定した状態に保持できる。
【００２４】
浮動開口２５にガイド壁２６と上規制壁２７とを設け、中立位置におけるヘッド突起２２をガイド壁２６と弾性体２４と上規制壁２７の三者で受け止めて、自由傾動不能に位置保持し、さらに弾性体２４の少なくとも一側にヘッド突起２２の左右傾動を許す空間Ｓを確保する浮動支持構造によれば、かみそりヘッド３を肌面の変化に追随して遅滞なく左右傾動できながら、中立位置においてかみそりヘッド３が僅かな外力を受けて左右にぐらつくのを確実に防止できる。
【００２５】
グリップ構造１の側に、前壁２１ａおよび後壁２１ｂを備えた復帰フレーム２１を設け、これら前後壁２１ａ・２１ｂの少なくとも一方に囲い構造２３を設け、弾性体を構成する弾性アーム２４を片持ち梁状に形成して、その遊端が下向きになる状態で復帰フレーム２１に組み付ける浮動支持構造によれば、かみそりヘッド３が中立位置から下方移動するのに伴って、左右傾動したヘッドピン２２を中立位置へ復帰操作するときの弾性アーム２４の弾性力を漸減できるので、かみそりヘッド３を肌面に強く押し付けた状態であってもヘッド全体を容易に左右傾動させることができ、したがって肌面がかみそりヘッド３の外刃１５の表面で擦られるのを一掃して、肌面のひりつきを防止できる。
【００２６】
グリップ構造１の側に復帰フレーム２１を設け、その前後壁２１ａ・２１ｂの少なくとも一方に囲い構造２３と、弾性体を構成する弾性アーム２４とを設ける浮動支持構造において、かみそりヘッド３と復帰フレーム２１とのいずれか一方に揺動軸５１を設け、残る他方に揺動軸５１を上下動可能に移行案内するためのガイド溝５２を設けて、かみそりヘッド３を揺動軸５１の回りに左右傾動させるようにすると、中立位置からの沈み込み量とは無関係にかみそりヘッド３の左右傾動限界を常に均一なものとしながら、肌面の変化に追随させることができる。また、かみそりヘッド３の左右傾動動作が揺動軸５１を中心とする傾動動作に限定されるので、左右一対の弾性アーム２４とフロートばね２０との協同作用で、かみそりヘッド３を任意の浮動位置から中立位置へ速やかにしかも円滑に復帰操作できる。かみそりヘッド３が不必要に傾動操作されることもない。
【００２７】
ヘッド突起を構成する左右一対のヘッドピン２２を、揺動軸５１およびガイド溝５２の中心を通る仮想中心軸を対称軸にして左右対称に配置し、かみそりヘッド３が中立位置にあるとき、左右のヘッドピン２２が浮動開口２５の上規制壁２７の中途部で受け止め保持されるようにした浮動支持構造によれば、中立位置における左右一対のヘッドピン２２を上規制壁２７の中途部で受け止め保持して、常に安定した状態でかみそりヘッド３を中立位置に保持できる。上規制壁２７は、揺動軸５１を中心とするときのヘッドピン２２の左右揺動軌跡を基本形状にして、左右の上規制壁２７がハ字状あるいは逆ハ字状になるように配置され、その結果、斜めに傾斜する上規制壁２７の中途部において中立状態のヘッドピン２２を受け止める構造となり、左右の上規制壁２７の調芯作用によって、ヘッドピン２２を介してかみそりヘッド３を中立位置に位置保持できるからである。
【００２８】
上規制壁２７にホーム凹部５９を設け、中立位置にあるヘッドピン２２をホーム凹部５９で受け入れてかみそりヘッド３を自由傾動不能に保持する浮動支持構造によれば、ヘッドピン２２をホーム凹部５９から抜き出し操作する外力がかみそりヘッド３に作用しない限りは、中立位置を保持し続けることができるので、かみそりヘッド３をさらに安定した状態で中立保持できる。また、ヘッドピン２２がホーム凹部５９から抜け出た後は、肌面の変化に追随してかみそりヘッド３を自由に左右傾動できる。さらに、揺動軸５１より上側に、例えばきわ剃り刃ユニット用の動力伝動構造が設けてあるような場合には、かみそりヘッド３が往復動力に同調して揺れ動くのをホーム凹部５９で規制して、往復動力を効率よく伝動できることとなる。
【００２９】
弾性アーム２４を復帰フレーム２１で上下動自在に支持し、かみそりヘッド３の上下動に同行して弾性アーム２４を上下変位できるようにした浮動支持構造によれば、かみそりヘッド３の沈み込み量とは無関係に弾性アーム２４のヘッドピン２２に対する接当位置をほぼ一定にできるので、左右傾動したかみそりヘッド３を中立位置へ復帰操作するときの、弾性アーム２４の弾性力を常に一定にでき、したがって、かみそりヘッド３を的確に傾動操作しながら肌面に追随させて、軽快にひげ剃りを行うことができる。かみそりヘッド３が肌面に過剰に押し付けられることも解消できる。
【００３０】
グリップ構造１とかみそりヘッド３との前後の対向壁のいずれか一方に、かみそりヘッド３の前後方向のがた付きを規制するがた付き防止構造を設ける浮動支持構造によれば、上下動ないし左右傾動する状態のかみそりヘッド３が前後にがた付くのを防止できるので、かみそりヘッド３の上下動ないし左右傾動動作を円滑なものとして、使用者の意図どおりにかみそりヘッド３を肌面に密着させることができる。
【００３１】
押圧体３４と、押圧体３４を押し付け付勢する押圧腕３３とでがた付き防止構造を構成し、押圧腕３３および押圧体３４をグリップ構造１とかみそりヘッド３との前後の対向壁のいずれか一方に設ける浮動支持構造によれば、上下動および左右傾動するときにかみそりヘッド３が前後方向にがた付くのを規制しながら、押圧体３４に作用する摩擦抵抗を押圧腕３３が弾性変形することで吸収できるので、かみそりヘッド３の上下動ないし左右傾動動作をさらに円滑化できる。また、押圧腕３３および押圧体３４が前記した前後の対向壁のいずれか一方と一体に形成してある場合には、押圧腕３３や押圧体３４を専用の部品として構成する場合に比べて浮動支持構造の構成部品点数を減少し、さらにがた付き防止構造を組み付ける手間を省いて、その分だけ製造コストを削減できる。
【００３２】
浮動開口２５の底壁にヘッド突起２２を捕捉する突起保持体６５を設ける浮動支持構造によれば、かみそりヘッド３をフロートばね２０に抗して押し下げ操作することにより、ヘッド突起２２が突起保持体６５で捕捉保持されて、かみそりヘッド３が左右傾動し、あるいは中立位置へ復帰上昇するのを一時的に規制できる。したがって、突起保持体６５でヘッド突起２２を捕捉保持した状態においては、外刃１５の表面の左右一側を肌面に強く押し付けたとしても、かみそりヘッド３が左右傾動することはなく、外刃１５の一部を肌面に押し付けながらひげを深剃りすることができる。
【００３３】
本発明の別の電気かみそりにおいては、かみそりヘッド３を上下動および左右傾動可能に支持するための浮動支持構造を、かみそりヘッド３を上向きに移動付勢するフロートばね２０と、左右傾動したかみそりヘッド３を中立位置へ復帰操作する傾動復帰体４１とで構成し、これらを本体ケース２を含むグリップ構造１とかみそりヘッド３との間に設けた。傾動復帰体４１は、かみそりヘッド３に同行して傾動する浮動フレーム４２と、浮動フレーム４２の左右両側に設けられて、かみそりヘッド３を任意の左右傾動位置から中立位置へ復帰操作する左右一対のばね腕４３とを含む構造とし、ばね腕４３の両側端を本体ケース２に固定して、かみそりヘッド３をフロートばね２０と傾動復帰体４１とで浮動支持するようにした。また、かみそりヘッド３に設けた左右一対のヘッドピン２２を、浮動フレーム４２に設けた上下ガイド溝４５で上下動のみ可能に案内した。
【００３４】
上記の浮動支持構造によれば、下方へ沈み込み移動するかみそりヘッド３をガイド溝４５で案内しながら、主としてフロートばね２０で上向きに操作して中立位置へ復帰させることができる。また、かみそりヘッド３が左右傾動する状態においては、ばね腕４３およびフロートばね２０がそれぞれ弾性変形されるので、これら両者２０・４３が発揮する弾性力の協同作用によって、かみそりヘッド３を中立位置へ速やかに復帰させることができる。
【００３５】
したがって、上記の浮動支持構造によれば、フロートばね２０と傾動復帰体４１などのより簡単な構造でかみそりヘッド３を浮動支持できるにもかかわらず、上下動あるいは左右傾動したかみそりヘッド３を中立位置へ速やかに復帰させて、常に安定した状態でひげを剃ることができる。また、かみそりヘッド３に同行して傾動する浮動フレーム４２とばね腕４３などで傾動復帰体４１を構成し、ばね腕４３が弾性変形することでかみそりヘッド３を傾動変位させるので、かみそりヘッド３が急傾動するような場合でも、浮動フレーム４２を円滑に追随変位させてかみそりヘッド３を常に肌面にフィットさせることができ、従来の浮動支持構造に比べて効果的にひげを剃ることができる。
【発明を実施するための最良の形態】
【００３６】
（実施例１）  図１ないし図５は本発明に係る電気かみそりの実施例１を示す。図１および図２において電気かみそりは、本体ケース２を含むグリップ構造１と、本体ケース２の内部に収容される電装品部と、グリップ構造１の上部に配置されるかみそりヘッド３などで構成する。電装品部は、２次電池４と制御回路が実装された回路基板５と、これら両者４・５を支持する内フレーム６などで構成してある。本体ケース２の前面上下には、モーター起動用のスイッチノブ７と、運転モードを表示する表示灯８と、充電時用の表示灯９などが配置してある。図示していないが、内フレーム６と本体フレーム２との間は防水パッキンでシールしてあり、本体ケース２の背面側にはきわ剃り刃ユニットが設けてある。
【００３７】
かみそりヘッド３は、ヘッドフレーム１１と、ヘッドフレーム１１の下面に固定されるモーターホルダー１２と、ヘッドフレーム１１に着脱される外刃ホルダー１３などを主な構造体にして、ヘッドフレーム１１の内部上面に内刃１４を配置し、モーターホルダー１２の内部にモーター１６を配置し、外刃ホルダー１３で外刃１５をアーチ状に保形している。図１に示すように、モーター動力を内刃１４に伝動する伝動構造１７は、平歯車および傘歯車などで構成されるギヤトレインからなり、その終段ギヤ１７ａの回転動力を内刃ギヤ１４ａに伝動することにより、内刃１４を水平軸線の回りに回転駆動できる。
【００３８】
かみそりヘッド３と内フレーム６との間に、かみそりヘッド４を左右傾動および上下動可能に浮動支持する浮動支持構造を設けている。図３ないし図５において浮動支持構造は、かみそりヘッド３を上向きに移動付勢するフロートばね２０と、内フレーム６に固定される復帰フレーム２１と、モーターホルダー１２の前面および後面の左右に固定されてかみそりヘッド３と同行傾動するヘッドピン（ヘッド突起）２２と、前面および後面のヘッドピン２２の上下動および左右傾動領域を規定する囲い構造２３と、前面側のヘッドピン２２を任意の左右傾動位置から中立位置へ復帰操作する左右一対の弾性アーム（弾性体）２４と、復帰フレーム２１に設けられてかみそりヘッド３の前後方向のがた付きを規制するがた付き防止構造などで構成する。フロートばね２０は圧縮コイル形のばねからなり、復帰フレーム２１の底壁上面とモーターホルダー１２の底壁下面との間の左右中央部分に配置してある。
【００３９】
復帰フレーム２１は、前壁２１ａおよび後壁２１ｂを一体に備えた逆門形のプラスチック成形品からなり、前壁２１ａおよび後壁２１ｂには、各ヘッドピン２２に対応して２個の浮動開口２５を形成して囲い構造２３としている。浮動開口２５は、上下動するヘッドピン２２を移動案内する上下方向のガイド壁２６と、ヘッドピン２２をフロートばね２０の押し上げ力に抗して受け止める上規制壁２７と、内側壁２８と、底壁２９とで四角形状に形成してある。左右の浮動開口２５の間の前壁２１ａおよび後壁２１ｂの上部それぞれに、がた付き防止構造が一体に形成してある。
【００４０】
図３に示すように、がた付き防止構造は、先端に部分球面状の押圧体３４を備えた弾性変形可能な縦長の押圧腕３３からなり、モーターホルダー１２の前後面を前後一対の押圧体３４で挟持することにより、かみそりヘッド３の前後遊動を規制している。しかし、押圧腕３３の付勢力を越える外力がかみそりヘッド３に作用する場合には、復帰フレーム２１の前後壁２１ａ・２１ｂと、モーターホルダー１２の前後面との間の隙間分だけかみそりヘッド３を僅かに前後傾動できる。
【００４１】
ヘッドピン２２は金属製の丸軸からなり、一端がモーターホルダー１２の前後壁に固定されて、先の浮動開口２５を前後に貫いている（図５参照）。弾性アーム２４は、片持ち梁状のＬ字状のプラスチック成形品からなり、その下端にＴ字状の連結部２４ａが一体に形成してある。連結部２４ａを前壁１２ａの嵌合溝に嵌め込み固定することにより、弾性アーム２４が復帰フレーム２１と一体化される。上方に延びる弾性アーム２４は、復帰フレーム２１の外面に沿って浮動開口２５を上下に縦断して、その中途部がヘッドピン２２の突端の内側周面に外接している。
【００４２】
以上のように構成した浮動支持構造によれば、かみそりヘッド３が中立位置にあるとき、左右のヘッドピン２２は、図３に示すようにガイド壁２６と弾性アーム２４とに挟持され、さらに上規制壁２７で受け止められて自由傾動不能に位置保持されている。つまり、弾性アーム２４は自己の弾性で、中立位置にあるヘッドピン２２をガイド壁２６に押し付けてガイド壁２６とほぼ平行になっている。弾性アーム２４の一側にはヘッドピン２２の左右傾動を許す空間Ｓが確保してある。この状態から、かみそりヘッド３の全体が本体ケース２へ向かって押し込み操作されると、ヘッドピン２２はガイド壁２６に沿って沈み込み、ヘッドピン２２が浮動開口２５の底壁２９に接当するまで下降移動できる。このように、ヘッドピン２２を浮動開口２５の底壁２９で受け止めてかみそりヘッド３の下降限界を規定すると、かみそりヘッド３の沈み込み量（フロート量）を厳密に規定することができる。
【００４３】
かみそりヘッド３が中立位置から左右いずれかへ傾動する状態、例えば図１に示すようにかみそりヘッド３が矢印方向へ傾動する状態では、図１に向かって右側のヘッドピン２２を中心にしてかみそりヘッド３の全体が傾動し、左側のヘッドピン２２が下降移動して弾性アーム２４を弾性変形させる。同時にフロートばね２０が斜めに圧縮変形される。そのため、かみそりヘッド３に働く外力が開放されると、フロートばね２０のばね力と、弾性アーム２４の弾性力との協同作用によって、かみそりヘッド３が中立位置へ向かって急速に復帰移動する。平行に沈み込む途中でかみそりヘッド３に傾動モーメントが作用する状態では、左右のヘッドピン２２が同時に逆向きに傾動してかみそりヘッド３の全体を傾動させる。傾動モーメントが開放されると、上記と同様にしてかみそりヘッド３が中立位置へ復帰移動する。
【００４４】
以上のように、かみそりヘッド３を上下動、および左右傾動可能に浮動支持し、外力が開放されるのと同時に中立位置へ復帰できるようにすると、肌面の変化やひげ切断面の傾きに即応してかみそりヘッド３を傾動させて外刃１５を肌に密着できる。しかも、かみそりヘッド３を使用頻度が最も多い中立位置へ速やかに復帰操作して、常に安定した状態で効果的にひげを剃ることができる。
【００４５】
（実施例２）  図６は浮動支持構造の別の実施例を示す。そこでは、弾性アーム２４を復帰フレーム２１の前壁２１ａと一体に形成して、浮動支持構造の構成部品点数を削減した。この実施例における弾性アーム２４は、実施例１における弾性アーム２４と同様に復帰フレーム２１の外面に沿って浮動開口２５を縦断して、その中途部がヘッドピン２２の突端の内側周面に外接するようにした。他は先の実施例と同じであるので、同じ部材に同じ符号を付してその説明を省略する。以下の各実施例においても同じとする。
【００４６】
（実施例３）  図７および図８は浮動支持構造のさらに別の実施例を示す。そこでは、先の実施例における圧縮コイル形のフロートばねに変えて、左右一対の引っ張りばねをフロートばね２０にして、かみそりヘッド３を中立位置へ復帰操作できるようにした。具体的には、フロートばね２０の下端を各ヘッドピン２２の突端に掛止し、フロートばね２０の上端を復帰フレーム２１の前壁２１ａに設けた掛止ピン３６に掛止した。さらに、左右の弾性アーム２４を一体に成形してコ字枠状に形成し、枠下部の十字状の連結部２４ａを前壁２１ａに設けた嵌合溝に嵌め込み固定して復帰フレーム２１と一体化した。
【００４７】
（実施例４）  図９および図１０は弾性体２４の別実施例を示し、そこでは、上下両端寄りにコイル部３７を有し、両コイル部３７の間に直線部３８を備えた引っ張りばねで弾性体２４を構成した。引っ張りばねの上端および下端は、それぞれ復帰フレーム２１の上下に設けた掛止ピン３６に掛止し、直線部３８が浮動開口２５の前面を縦断する状態でヘッドピン２２に外接するようにした。この弾性体２４によれば、ヘッドピン２２で押圧されるときの引っ張りばねの反発力を、ヘッドピン２２の上下方向の位置の違いとは無関係にほぼ一定にできる。
【００４８】
また、浮動開口２５を左右に長い１個の開口で形成して、モーターホルダー１２に固定した３個のヘッドピン２２を浮動開口２５の上規制壁２７で受け止めるようにした。その場合に、中央に位置するヘッドピン２２を上規制壁２７に設けたピン凹部３９で受け止めるようにした。このように、３個のヘッドピン２２を上規制壁２７で受け止めると、かみそりヘッド３の上方への抜け止めを強固に行うことができる。
【００４９】
（実施例５）  図１１および図１２は浮動支持構造のさらに別の実施例を示す。そこでは、フロートばね２０を左右一対の圧縮コイルばねで構成して、モーターホルダー１２と復帰フレーム２１の間の左右両側に配置した。また、浮動開口２５を、復帰フレーム２１の前後壁２１ａ・２１ｂの左右側縁で開口する切欠として形成し、実施例３で説明したコ字状の弾性アーム２４を、アーム遊端が下向きになる状態で復帰フレーム２１に組み付けるようにした。下方に延びる弾性アーム２４の中途部は、一対のヘッドピン２２の対向周面の側に接当する。押圧腕３３を左右一対設けて、押圧体３４が外側方を向く状態で配置する点も先の各実施例と異なる。この実施例では、弾性アーム２４の両側にヘッドピン２２の左右傾動を許す空間Ｓが確保される。
【００５０】
このように、弾性アーム２４を先の実施例とは逆向きに配置すると、かみそりヘッド３が中立位置から下方移動する状態において、左右傾動したヘッドピン２２を復帰操作するときの弾性アーム２４の弾性力を漸減できるので、肌面に強く押し付けた状態であっても、かみそりヘッド３を容易に左右傾動できる。この実施例から理解できるように、囲い構造２３は無端環状に形成する必要はなく、切欠状に形成することができる。この実施例における弾性アーム２４は、下方に延びるアーム中途部が一対のヘッドピン２２の外側周面に接当するように設けることができ、その場合のヘッドピン２２は、弾性アーム２４と浮動開口２５の内側壁２８とに挟まれる空間内を上下動し、あるいは左右傾動する。
【００５１】
（実施例６）  図１３および図１４における浮動支持構造は、傾動復帰のための構造が先の各実施例とは異なる。そこでは、かみそりヘッド３を上向きに移動付勢する左右一対の圧縮ばねからなるフロートばね２０と、左右傾動したかみそりヘッド３を中立位置へ復帰操作する傾動復帰体４１とで浮動支持構造を構成する。傾動復帰体４１は、モーターホルダー１２に同行して傾動する浮動フレーム４２と、浮動フレーム４２の左右両側に設けられる前後一対ずつのばね腕４３と、ばね腕４３の両側上端に設けられる装着座４４などを一体に備えたプラスチック成形品からなる。
【００５２】
浮動フレーム４２は、上下面が開口する四角枠体からなり、その前後壁のそれぞれに左右一対の上下ガイド溝４５と、押圧腕３３が設けてある。モーターホルダー１２に固定した左右一対のヘッドピン２２を、上下ガイド溝４５で上下動のみ可能に案内支持することにより、かみそりヘッド３は上下浮動できる。ばね腕４３は上下に長いＵ字状のプラスチックばねからなり、Ｕ字状の腕部分が左右に弾性変形することにより、浮動フレーム４２の左右傾動動作に追随して弾性変形でき、その弾性力によって左右傾動した浮動フレーム４２を中立位置へ復帰操作できる。なお、ばね腕４３はある程度上下方向にも弾性変形できる。
【００５３】
装着座４４は、本体ケース２の内面壁に設けた装着凹部４８に嵌め込み装着されており、左右の装着座４４とモーターホルダー１２との間に、左右一対のフロートばね２０が配置してある。かみそりヘッド３をフロートばね２０の付勢力に抗して中立位置に待機保持するために、モーターホルダー１２の両側に係合爪４６を突設し、これらの係合爪４６を本体ケース２の開口内縁に設けた受止め壁４７で受け止めている。以上のように構成した浮動支持構造は、かみそりヘッド３の全体がフロートばね２０とばね腕４３とで宙吊り状に浮動支持される点に構造上の特長があり、これにより左右傾動時におけるばね腕４３の弾性力の変化幅を小さくできる。つまり、かみそりヘッド３を肌面に強く押し付けた状態であっても容易に左右傾動操作できる。
【００５４】
（実施例７）  図１５ないし図１８は浮動支持構造のさらに別の実施例を示す。そこでは、ヘッドフレーム１１の下面にモーター１６と、モーター１６の周囲を囲む保護ケース１７を固定し、保護ケース１７の前後面の中央に揺動軸５１を固定し、復帰フレーム２１の前後壁２１ａ・２１ｂに揺動軸５１を上下に案内するガイド溝５２を形成した。左右一対のヘッドピン２２は揺動軸５１およびガイド溝５２の中心を通る仮想中心軸を対称軸にして左右対称に配置してある。これにより、ヘッドピン２２は揺動軸５１が上下動するとき同軸５１に同行して上下動でき、任意の上下位置において揺動軸５１を中心にして左右傾動できる。そのために、各浮動開口２５を花弁状に形成して、左右の浮動開口２５をハ字状に隣接する状態で配置している。弾性アーム２４は実施例３と同様に形成し、上方に延びる弾性アーム２４を左右のヘッドピン２２の対向周面に接当させるようにした。押圧腕３３は保護ケース１７の前後壁と一体に形成し、その押圧体３４を復帰フレーム２１の前後壁２１ａ・２１ｂに接当させた。
【００５５】
浮動開口２５の底壁２９は、ガイド溝５２の下端に接当するときの揺動軸５１の軸中心回りの円弧で形成するが、上規制壁２７は中途部が緩やかに折れ曲がるへ字状に形成する。詳しくは図１８に示すように、ガイド溝５２の上端に接当するときの揺動軸５１の軸中心回りの円弧Ｗを想定するとき、上規制壁２７の全体が先の円弧Ｗの内側に位置する状態でへ字状に屈曲形成する。この屈曲部分を符号５３で示す。この実施例においては、弾性アーム２４の両側にヘッドピン２２の左右傾動を許す空間Ｓが確保される。
【００５６】
上記のように、かみそりヘッド３を揺動軸５１の回りに左右傾動させる浮動支持構造によれば、中立位置からの沈み込み量とは無関係にかみそりヘッド３の左右傾動限界位置を常に均一にできる。また、左右一対ずつ設けたフロートばね２０と弾性アーム２４とで、かみそりヘッド３を任意の浮動位置から中立位置へ速やかに、しかも円滑に復帰操作することができる。また、上規制壁２７に屈曲部分５３を設け、中立状態におけるヘッドピン２２を屈曲部分５３で受け止めることにより、中立状態のかみそりヘッド３を安定支持することができる。
【００５７】
（実施例８）  図１９ないし図２１は浮動支持構造のさらに別の実施例を示す。そこでは、実施例７と同様にモーターホルダー１２の前後面の上部中央に揺動軸５１を固定し、復帰フレーム２１の前後壁２１ａ・２１ｂに設けたガイド溝５２で揺動軸５１を上下動自在に案内支持した。また、左右一対の弾性アーム２４をばね支持体５５と一体に形成して、ばね支持体５５をかみそりヘッド３に同行して上下動させるようにした。ばね支持体５５は、鍵穴形に形成してあり、その下端両側からＬ字の弾性アーム２４が連出されて、全体として逆Ｔ字状に構成してある。ばね支持体５５の上端を揺動軸５１に連結し、さらにばね支持体５５の下部内面に固定したスライドピン５７を、復帰フレーム２１の前壁２１ａに形成したガイド溝５８で上下動自在に案内支持することにより、弾性アーム２４およびばね支持体５５ををかみそりヘッド３に同行して上下動できる。浮動開口２５の上規制壁２７の左右中途部には、中立状態におけるヘッドピン２２を受け入れるホーム凹部５９が凹み形成してある。この実施例における左右の浮動開口２５は、揺動軸５１を両浮動開口２５より上方に配置する関係で、実施例７の浮動開口２５とは上下が反転された状態で逆ハ字状に配置する。押圧腕３３と押圧体３４はモーターホルダー１２の前後壁に一体成形した。弾性アーム２４は腕５６と一体に成形してある。フロートばね２０は実施例５と同様に、左右一対の圧縮コイルばねで構成して、モーターホルダー１２と復帰フレーム２１の間の左右両側に配置した。
【００５８】
上記のように、弾性アーム２４およびばね支持体５５を復帰フレーム２１で上下動自在に支持すると、弾性アーム２４のヘッドピン２２に対する接当位置をほぼ一定にできるので、左右傾動したかみそりヘッド３を常に一定の弾性力で中立位置へ復帰操作できる。また、上規制壁２７にホーム凹部５９を設けて、中立状態におけるヘッドピン２２をホーム凹部５９で係合保持すると、中立状態におけるかみそりヘッド３を自由傾動不能に保持して安定支持できる。とくに、揺動軸５１より上側に往復動力を伝動する構造が設けてある場合、例えばきわ剃り刃ユニット用の動力伝動構造が設けてある場合には、かみそりヘッド３が往復動力に同調して揺れ動くのをホーム凹部５９で規制して、往復動力を効率よく伝動できることとなる。この実施例においても、弾性アーム２４の両側にヘッドピン２２の左右傾動を許す空間Ｓが確保される。
【００５９】
（実施例９）  図２２および図２３は、実施例７・８の一部を変更した別実施例を示す。そこでは、揺動軸５１を音叉状に形成した左右一対の弾性アーム２４で挟み保持し、さらに、モーターホルダー１２の下端両側にヘッドピンに相当する左右一対のヘッド突起２２を設け、両突起２２を本体ケース２の内面に張り出し形成した受枠６１で受け止めることにより、かみそりヘッド３を中立位置に位置保持できるようにした。浮動開口２５は１個だけ設け、揺動軸５１がかみそりヘッド３に同行して左右傾動できるようにした。ヘッド突起２２はＬ字状の突起からなり、前後一対ずつ設けられている。したがって、この実施例におけるかみそりヘッド３は、前後方向、および斜め前後方向へもそれぞれ傾動でき、右または左のヘッド突起２２が左右傾動時の傾動支点となる。この実施例において、ヘッドピン２２の左右傾動を許す空間Ｓは、浮動開口２５の開口範囲に一致する。
【００６０】
（実施例１０）  図２４は、実施例７・８の一部を変更した実施例を示す。そこでは、揺動軸５１を復帰フレーム２１に設けたガイド溝５２で上下動自在に案内支持し、揺動軸５１より下方に設けたヘッドピン２２を音叉状に形成した左右一対の弾性アーム２４で挟み保持した。この実施では、音叉状の弾性アーム２４の遊端が下向きになる状態で復帰フレーム２１に固定した。
【００６１】
（実施例１１）  図２５および図２６は実施例７の一部を変更した浮動支持構造の実施例を示す。そこでは、浮動開口２５の底壁２９にヘッドピン２２を捕捉する突起保持体６５を設けた。突起保持体６５はＵ字状の捕捉部６６を備えており、捕捉部６６に臨む対向壁に複数個の襞状の抵抗片（抵抗体）６７を一体に備えている。左右の抵抗片６７の対向間隔はヘッドピン２２の直径寸法より小さく設定してあり、これにより突起保持体６５の内部に入り込んだヘッドピン２２に摩擦抵抗を付与して、ヘッドピン２２が捕捉部６６から抜け出るのを一時的に（２秒前後）阻止し、捕捉部６６内に位置保持できる。
【００６２】
図２６に示すように、中立状態のかみそりヘッド３を平行姿勢のままで押し込み操作すると、左右のヘッドピン２２は抵抗片６７を弾性変形させながら捕捉部６６の内底まで入り込む。この状態では、ヘッドピン２２の左右傾動が突起保持体６５によって規制される。そのため、外刃１５の表面の左右一側を肌面に強く押し付けたとしても、かみそりヘッド３が上下動および左右傾動することはなく、したがって外刃１５の一部を肌面に押し付けながらひげを深剃りすることができる。かみそりヘッド３が肌面から離れることにより、かみそりヘッド３に作用する外力が開放されて２秒前後が経過すると、ヘッドピン２２は抵抗片６６の摩擦抵抗に打ち勝って捕捉部６６から抜き出し、フロートばね２０によって中立位置へ速やかに復帰操作される。
【００６３】
（実施例１２）  図２７は実施例１０における突起保持体６５の別の実施例を示す。そこでは、突起保持体６５を板ばね（ばね材）で逆ハット形に形成し、Ｕ字状の捕捉部６６の上開口に抵抗体６７を膨出形成した。抵抗体６７の対向間隔はヘッドピン２２の直径寸法より僅かに小さく設定してある。抵抗体６７を含む一対の縦壁６８は、互いに拡開する向きに弾性変形することでヘッドピン２２が捕捉部６６へ入り込むのを許す。また、かみそりヘッド３に作用する外力が開放されて２秒前後が経過するまでの間、ヘッドピン２２を捕捉した状態を維持する。
【００６４】
（実施例１３）  図２８ないし図３２は浮動支持構造の別の実施例を示す。そこでは、側面が開放された切欠状の浮動開口２５で囲い構造２３を構成する点が実施例５と共通する。また、浮動開口２５より上方に揺動軸５１を設ける点と、弾性体２４を復帰フレーム２１で上下動自在に案内してかみそりヘッド３に同行して上下動させる点が実施例８と共通する。この実施例における浮動支持構造は、図２９に示すように復帰フレーム２１を前フレーム２１ｃと後フレーム２１ｄとに分割して形成する点、弾性体２４を金属性のばね体７０と、ばね体７０が装着されるばね支持体５５とで構成する点、左右一対の押圧腕３３が逆ハ字状に配置してある点、およびばね支持体５５のスライド構造などが上記の各実施例と異なる。
【００６５】
前フレーム２１ｃには、浮動開口２５と、揺動軸５１用のガイド溝５２と、ばね支持体５５を上下にスライド案内する３個の縦ガイド溝７１が形成してある。３個の縦ガイド溝７１のひとつは前フレーム２１ａの前面下部の左右中央に、残るふたつの縦ガイド溝７１は、前フレーム２１ａの前面下部の左右両側にそれぞれ形成してある。この実施例における浮動開口２５は、実施例５における浮動開口２５と同様に、前フレーム２１ｃの左右側縁で開口する切欠として形成するが、切欠状に形成される囲い構造２３の構造強度を向上するために、浮動開口２５の側端開口の前部に補強枠７５を膨出形成している。因みに、実施例５のように、浮動開口２５を復帰フレーム２１の左右側縁で開口する切欠として形成すると、囲い構造２３を無端枠状に形成する場合に比べて、復帰フレーム２１の左右寸法を小さくできる。この特長を継承するために、浮動開口２５の側端開口の前部に補強枠７５を膨出形成して、復帰フレーム２１の左右寸法を小さくした状態のままで、囲い構造２３の構造強度を向上できるようにしている。前フレーム２１ｃの上縁に沿って補強枠７５に連続する補強リブ８５が膨出形成してあり、これら両者７５・８５を設けることで前フレーム２１ｃの全体の構造強度を向上できる。後フレーム２１ｄは逆Ｔ字状に形成されて、中央の腕部分の上端にガイド溝５２が形成してある。下端基部の左右両側には、フロートばね２０を装着するためのばね座７３が形成してある。
【００６６】
ばね支持体５５は、中央の縦枠６２と、縦枠６２の下端両側に張出される横枠６３とで逆Ｔ字状に形成され、横枠６３の上部両側から左右一対のアーム６４を上向きに延出して構成してある。横枠６３の左右両側と背面中央には、先の縦ガイド溝７１で移行案内される縦長のスライド片７４が張り出し形成してある。縦枠６２の上端を揺動軸５１に連結し、さらにスライド片７４を先の縦ガイド溝７１で上下動自在に案内支持することにより、ばね体７０およびばね支持体５５をかみそりヘッド３に同行して上下動できる。ばね体７０はばね線材を素材にして形成する。詳しくは、ばね体７０は左右一対のコイル部７６を備えた眼鏡状の捻りコイルばねからなり、左右のコイル部７６からばね腕７７が一体に連出してある。図３０に示すように、ばね体７０は、両コイル部７６がばね支持体５５の背面下部に収容され、同時に左右のばね腕７７の先端がアーム６４の先端寄りに掛止される状態でばね支持体５５に組み付けられて、左右のアーム部７２ｂを外側方へ向かって移動付勢する。ばね支持体５５のアーム６４は、ばね腕７７とともに弾性変形するときの変形応力によって、ばね体７０の復帰付勢力を補助する。なお、この実施例における弾性体２４は、ばね支持体５５のアーム６４を省略して、金属性のばね体７０のみで形成することができ、その場合のばね体７０は線ばね単独、あるいは板ばね単独で形成することができる。
【００６７】
（実施例１４）  図３３および図３４は浮動支持構造の別の実施例を示す。そこでは、本体ケース２を前後に分割形成される前ケース２ａと後ケース２ｂとで構成し、前後ケース２ａ・２ｂの内面にそれぞれ四角枠状の囲い構造２３を一体に形成し、囲い構造２３で四角形の浮動開口２５を隣接形成した。前ケース２ａの囲い構造２３の下部には、実施例１３で説明したばね体７０のコイル部７６を収容するボス８３が設けてある。このように囲い構造２３は本体ケース２に設けることができる。
【００６８】
かみそりヘッド３の下部には先の囲い構造２３と正対する傾動ケース１８が固定してあり、その前後壁のそれぞれに左右一対のヘッドピン２２が固定してある。この実施例におけるがた付き防止構造は、押圧腕３３および押圧体３４を板ばねで形成し、押圧腕３３の下端を前ケース２ａの内面に溶着固定した。弾性体２４は先のばね体７０のみで構成する。ばね体７０は、左右一対のコイル部７６と、各コイル部７６から上方へ伸びるばね腕７７とで構成してあり、ばね腕７７の上端に斜めの組立ガイド部７８を形成する点が実施例１３のばね体と異なる。左右の組立ガイド部７８は上すぼまり状に傾斜しており、自由状態における両者の先端部分の左右間隔は、ヘッドピン２２の中心間距離より僅かに小さく設定してある。このように、ばね腕７７の上端に組立ガイド部７８を設けると、ばね体７０のコイル部７６をボス８３に組み付けた後、かみそりヘッド３をケース上方から下方へ向かってスライドするだけで、ヘッドピン２２を組立ガイド部７８で案内してばね腕７７に掛止することができる。
【００６９】
上記の実施例においても例示したように、浮動支持構造は本体ケース２や内フレーム６などのグリップ構造１と、かみそりヘッド３との間に設けてあればよい。囲い構造２３に関して、多くの場合は壁面に浮動開口２５を形成して囲い構造２３とするがその必要はない。例えば、円形、Ｃ字状などのリング体や枠体で囲い構造２３を構成することができ、その場合にはリング体や枠体で囲まれる空間を浮動開口２５とする。弾性体２４は、金属製のばね線材やばね板材などで形成することができ、必要があれば弾性変形可能なプラスチック材やゴムで形成することができる。弾性体２４は棒状に形成する必要はなく、要はヘッドピン２２を中立位置へ復帰操作できる構造であれば、その形状や構造は限定しない。
【００７０】
ヘッド突起２２は、モーターホルダー１２、保護ケース１７、あるいは傾動ケース８４などの前後壁と一体に形成することができる。また、角軸やだ円軸などの丸軸以外の突起をヘッド突起２２とすることができる。揺動軸５１はモーターホルダー１２や保護ケース１７などの前後壁と一体に形成することができる。揺動軸５１を復帰フレーム２１や本体ケース２の側に設け、ガイド溝５２をモーターホルダー１２、保護ケース１７、あるいは傾動ケース８４などの前後壁の側に設けることができる。
【図面の簡単な説明】
【００７１】
【図１】実施例１に係る浮動支持構造の正面図である。
【図２】電気かみそりの正面図である。
【図３】浮動支持構造の正面図である。
【図４】図３におけるＡ−Ａ線断面図である。
【図５】図３におけるＢ−Ｂ線断面図である。
【図６】実施例２に係る浮動支持構造の正面図である。
【図７】実施例３に係る浮動支持構造の正面図である。
【図８】図７におけるＣ−Ｃ線断面図である。
【図９】実施例４に係る浮動支持構造の正面図である。
【図１０】図９におけるＤ−Ｄ線断面図である。
【図１１】実施例５に係る浮動支持構造の正面図である。
【図１２】図１１におけるＥ−Ｅ線断面図である。
【図１３】実施例６に係る浮動支持構造の正面図である。
【図１４】図１３におけるＦ−Ｆ線断面図である。
【図１５】実施例７に係る浮動支持構造の正面図である。
【図１６】図１５におけるＧ−Ｇ線断面図である。
【図１７】図１５におけるＨ−Ｈ線断面図である。
【図１８】浮動開口の詳細構造を示す説明図である。
【図１９】実施例８に係る浮動支持構造の正面図である。
【図２０】図１９におけるＩ−Ｉ線断面図である。
【図２１】図１９におけるＪ−Ｊ線断面図である。
【図２２】実施例９に係る浮動支持構造の正面図である。
【図２３】図２２におけるＫ−Ｋ線断面図である。
【図２４】実施例１０に係る浮動支持構造の正面図である。
【図２５】実施例１１に係る浮動支持構造の正面図である。
【図２６】浮動開口の正面図である。
【図２７】実施例１２に係る浮動開口の正面図である。
【図２８】実施例１３に係る浮動支持構造の正面図である。
【図２９】浮動支持構造の分解斜視図である。
【図３０】浮動支持構造の一部破断正面図である。
【図３１】図３０におけるＬ−Ｌ線断面図である。
【図３２】図３０におけるＭ−Ｍ線断面図である。
【図３３】実施例１４に係る浮動支持構造の縦断正面図である。
【図３４】実施例１４に係る囲い構造を示す斜視図である。
【符号の説明】
【００７２】
１  グリップ構造
２  本体ケース
３  かみそりヘッド
２０  フロートばね
２１  復帰フレーム
２１ａ・２１ｂ  復帰フレームの前後壁
２２  ヘッド突起
２３  囲い構造
２４  弾性体
２５  浮動開口
２６  ガイド壁
２７  上規制壁
３３  押圧腕
３４  押圧体
５１  揺動軸
５２  ガイド溝
６５  突起保持体
Ｓ  ヘッド突起の左右傾動を許す空間
４１  傾動復帰体
４２  浮動フレーム
４３  ばね腕
４５  上下ガイド溝
【図１】
0005057380.tif 000002
【図２】
0005057380.tif 000003
【図３】
0005057380.tif 000004
【図４】
0005057380.tif 000005
【図５】
0005057380.tif 000006
【図６】
0005057380.tif 000007
【図７】
0005057380.tif 000008
【図８】
0005057380.tif 000009
【図９】
0005057380.tif 000010
【図１０】
0005057380.tif 000011
【図１１】
0005057380.tif 000012
【図１２】
0005057380.tif 000013
【図１３】
0005057380.tif 000014
【図１４】
0005057380.tif 000015
【図１５】
0005057380.tif 000016
【図１６】
0005057380.tif 000017
【図１７】
0005057380.tif 000018
【図１８】
0005057380.tif 000019
【図１９】
0005057380.tif 000020
【図２０】
0005057380.tif 000021
【図２１】
0005057380.tif 000022
【図２２】
0005057380.tif 000023
【図２３】
0005057380.tif 000024
【図２４】
0005057380.tif 000025
【図２５】
0005057380.tif 000026
【図２６】
0005057380.tif 000027
【図２７】
0005057380.tif 000028
【図２８】
0005057380.tif 000029
【図２９】
0005057380.tif 000030
【図３０】
0005057380.tif 000031
【図３１】
0005057380.tif 000032
【図３２】
0005057380.tif 000033
【図３３】
0005057380.tif 000034
【図３４】
0005057380.tif 000035